(57)【特許請求の範囲】
【請求項１】
空洞部を有するグリップと、トルク制御機構と、ドライバ主軸を少なくとも有し、
前記グリップは、その一端に開口部を有しており、
前記トルク制御機構は、前記グリップ内に配置され、
前記ドライバ主軸は、軸周りの回転制御が可能となるように前記トルク制御機構に保持された状態で、その一部が前記グリップの開口部から露出して配置され、
前記グリップの開口部には、前記空洞部を密閉し、かつ、前記ドライバ主軸の回転を可能とする先端カバーが挿入されて設けられており、
前記先端カバーは、前記グリップに挿入される部分の外周において、シール部材が配置され、かつ、前記グリップ内に設けられた部材によって、前記グリップ側に引っ張られ、動作可能に留められた状態で前記グリップに挿入されており、
前記グリップの開口部端部には、前記先端カバーが押し出された際に、前記シール部材が達したところで、前記グリップの内部の圧力を逃すことができるよう他の被挿入部分よりも内径が大きく、かつ、テーパー状の断面を前記他の被挿入部分との境界部に有する段差部が設けられている医療用トルクドライバ。
【発明の詳細な説明】
【技術分野】
【０００１】
本発明は、医療用トルクドライバに関する。
【背景技術】
【０００２】
トルクドライバは、所定のトルクでねじを締め付けるための作業工具であり、一般にはグリップ内部に歯車、バネ等のパーツが組み込まれている。前記グリップは、内部への水の浸入を防ぐため、Ｏリングなどでシールされている。トルクドライバは、骨折治療時のプレートの固定等、医療用途にも用いられる。医療用器具は、滅菌処理がなされるが、これまでに、オートクレーブ処理することが可能である整形外科キットが提案されている（例えば、特許文献１参照）。
【先行技術文献】
【特許文献】
【０００３】
【特許文献１】特表２０１３−５０５０７１号公報
【発明の概要】
【発明が解決しようとする課題】
【０００４】
しかしながら、通常のトルクドライバでは、オートクレーブでの高温・高圧蒸気によってドライバ内部の圧力が上昇することによって、Ｏリングが押し出されてしまうという問題が発生しうる。Ｏリングが一旦押し出されると、前記グリップ内に戻らずにグリップ内部の密閉性が失われてしまうという問題が発生しうる。また、内部にオイルが充填されているトルクドライバの場合、オイルが外に漏れ出ることがあるという問題もある。前記提案された整形外科キットはトルクドライバを含むものであるが、前記整形外科キットは使い捨てであることが前提となっており、これらの問題は考慮されていない。そこで、本発明は、オートクレーブによる滅菌処理が可能である、使い捨てを前提としない医療用トルクドライバを提供することを目的とする。
【課題を解決するための手段】
【０００５】
前記目的を達成するために、本発明の医療用トルクドライバは、
空洞部を有するグリップと、トルク制御機構と、ドライバ主軸とを少なくとも有し、
前記グリップは、その一端に開口部を有しており、
前記トルク制御機構は、前記グリップ内に配置され、
前記ドライバ主軸は、軸周りの回転制御が可能となるように前記トルク制御機構に保持された状態で、その一部が前記グリップの開口部から露出して配置され、
前記グリップの開口部には、前記空洞部を密閉し、かつ、前記ドライバ主軸の回転を可能とする先端カバーが挿入されて設けられており、
前記先端カバーは、前記グリップに挿入される部分の外周において、シール部材が配置され、かつ、前記グリップ内に設けられた部材によって、前記グリップ側に引っ張られ、動作可能に留められた状態で前記グリップに挿入されており、
前記グリップの開口部端部には、前記先端カバーが押し出された際に、前記シール部材が達したところで、前記グリップの内部の圧力を逃すことができるよう他の被挿入部分よりも内径が大きく、かつ、テーパー状の断面を前記他の被挿入部分との境界部に有する段差部が設けられていることを特徴とする。
【発明の効果】
【０００６】
本発明によると、オートクレーブによる滅菌処理が可能である、使い捨てを前提としない医療用トルクドライバを提供することができる。
【図面の簡単な説明】
【０００７】
【図１】図１は、本発明の実施形態に係る医療用トルクドライバ１００を示す図である。
【図２】図２は、医療用トルクドライバ１００を構成するグリップ１０１の部分拡大断面図である。
【図３】図３は、高温・高圧蒸気下におけるトルクドライバ１００の状態を示す図である。図３（ａ）は図１に対応する図であり、図３（ｂ）は、先端カバー１０５の挿入部分の部分拡大図である。
【図４】図４は、グリップ１０１の変形例の部分拡大断面図である。
【発明を実施するための形態】
【０００８】
本発明の医療用トルクドライバについて、例をあげて説明する。ただし、本発明は、以下の例に限定および制限されない。
【０００９】
トルクドライバとは、所定のトルクでねじを締め付けるための作業工具と、締め付けられたねじのトルクを測定するための測定工具のうち、ドライバ状の形をしたものの総称である。図１に、本発明の実施形態に係る医療用トルクドライバ１００を示す。この医療用トルクドライバ１００は、前記における「所定のトルクでねじを締め付けるための作業工具」の一例である。また、図２に、医療用トルクドライバ１００を構成するグリップ１０１の部分拡大断面図を示す。
【００１０】
図示のように、医療用トルクドライバ１００は、空洞部を有するグリップ１０１と、トルク制御機構１０２と、ドライバ主軸１０３とを少なくとも有している。グリップ１０１は、その一端に開口部１０４を有している。トルク制御機構１０２は、グリップ１０１内に配置されている。ドライバ主軸１０３は、軸周りの回転制御が可能となるようにトルク制御機構１０２に保持されており、ドライバ主軸１０３の一部がグリップ１０１の開口部１０４から露出して配置されている。グリップ１０１の開口部１０４には、グリップ１０１の空洞部を密閉し、かつ、ドライバ主軸１０３の回転を可能とする先端カバー１０５が挿入されて設けられている。
【００１１】
先端カバー１０５は、グリップ１０１に挿入される部分の外周に、シール部材１０６を配置してグリップ１０１に挿入されている。本実施形態においては、シール部材１０６としてＯリングを用いている。グリップ１０１内に配置されているトルク制御機構１０２は、歯車、バネなど色々なパーツからなる。これらのパーツの中には、錆が生じる材料からなるものが含まれることがある。そのため、トルク制御機構１０２に水分等が入らないように、シール部材１０６でシール（密閉）されている。また、グリップ１０１内の空洞部には、オイルが封入されている場合もあり、シール部材１０６は、オイルの漏れ出しを防止する役割も有している。なお、先端カバー１０５は、グリップ１０１内に設けられたバネ等の部材（図示せず）によって、グリップ１０１側に引っ張られ、動作可能に留められた状態となっている。
【００１２】
本発明においては、グリップ１０１の開口部１０５端部には、他の被挿入部分１０７よりも内径が大きくかつテーパー状の断面を境界部に有する段差部１０８が設けられている。医療用トルクドライバ１００は、滅菌処理が行われるが、前記滅菌処理としてオートクレーブ処理が行われることが一般的である。オートクレーブ処理は、例えば、温度１１５℃〜１２６℃の高温・高圧蒸気下で、約１５〜３０分間行われる。この時に、温度による圧力上昇に起因して、先端カバー１０５がグリップ１０１から押し出されるようになる。先端カバー１０５が押し出された際に、シール部材１０６がグリップ１０１の外部に露出する場合がある。しかし、段差部１０８が設けられていると、シール部材１０６が段差部１０８の位置に達したところで、グリップ１０１内部の圧力を逃すことができ、シール部材１０６のグリップ１０１外部への露出を防ぐことができる。図３は、高温・高圧蒸気下におけるトルクドライバ１００の状態を示す図である。図３（ａ）は図１に対応する図であり、図３（ｂ）は、先端カバー１０５の挿入部分の部分拡大図である。
【００１３】
滅菌処理後に常温に戻ると、先端カバー１０５およびシール部材１０６は、グリップ１０１内の元の位置まで戻る。先端カバー１０５が元の位置に戻る際に、段差部１０８の境界部の断面がテーパー状であるため、シール部材１０６はグリップ１０１内部の元の位置までスムーズに戻ることができる。
【００１４】
この段差部１０８がグリップ１０１の開口部１０５端部に設けられていないと、シール部材１０６はグリップ１０１外部に押し出されて露出してしまい、外部に押し出されたシール部材１０６はグリップ１０１内部に戻ろうとする際にグリップ１０１端部（角）に引っ掛かってしまうことがある。このような場合、グリップ１０１内部の密閉性がなくなり、内部に充填されたオイルがドライバ使用時に漏れ出してしまう。また、シール部材１０６がグリップ１０１内部に戻った場合でも、シール部材１０６にはダメージが生じる。
【００１５】
段差部１０８におけるグリップ１０１の内径は、段差部１０８以外の被挿入部分１０７の内径よりも大きく、段差部１０８と段差部１０８以外の被挿入部分１０７との境界部の断面はテーパー状となっていればよい。段差部１０８におけるグリップ１０１の内径は、温度による圧力上昇に起因して、先端カバー１０５がグリップ１０１から押し出された際、シール部材１０６が段差部１０８の位置に達したところで、グリップ１０１内部の圧力を逃すことができるような大きさであればよい。前記境界部を含む段差部１０８の長さＬは、図１〜図３に示すように、シール部材１０６（Ｏリング）のグリップ１０１外部への露出を防ぐことができる長さがあればよいが、図４に示すように、グリップ１０１の先端方向に延びるように、長くしてもよい。ここで、シール部材１０６は、グリップ１０１における先端カバー１０５の被挿入部分１０７において、先端カバー１０５とグリップ１０１との間で密閉状態が得られるように、サイズを選択すればよい。なお、図示はしていないが、先端カバー１０５とドライバ主軸１０３との間にも、別のＯリングが設けられて、グリップ１０１内部の密閉状態は保たれている。
【００１６】
先端カバー１０５およびシール部材１０６は、オートクレーブ処理や各種薬剤による滅菌処理に対する耐性に優れた材料、すなわち、耐熱性、耐水性、耐油性および耐薬品性に優れた材料からなることが好ましい。先端カバー１０５には、例えば、テフロン（登録商標）等を好ましく用いることができる。シール部材１０６には、シリコンゴムやフッ素ゴム等を好ましく用いることができる。
【００１７】
なお、本実施形態では、先端カバー１０５として、ドライバ先端に向かって径が小さくなる、断面形状が台形である先端カバーの例を挙げているが、本発明はこれに限定されるものではない。また、グリップ１０１の表面の形状も、本例に限定されるものではなく、取扱性等に応じて適宜変更することができる。
【００１８】
以上、本発明の具体例として、医療用トルクドライバ１００を挙げて本発明を説明したが、本発明の医療用トルクドライバは、具体例で記載されたもののみに限定されるものではなく、種々の態様が可能である。
【符号の説明】
【００１９】
１００  医療用トルクドライバ
１０１  グリップ
１０２  トルク制御機構
１０３  ドライバ主軸
１０４  開口部
１０５  先端カバー
１０６  シール部材
１０７  被挿入部分
１０８  段差部
【図１】
0006437861.tif 000002
【図２】
0006437861.tif 000003
【図３】
0006437861.tif 000004
【図４】
0006437861.tif 000005